(57)【要約】　　　（修正有）【課題】河川の塵芥を避けて水のみを取水用筒体内部へ効率良く取り入れることができる簡易形取水装置を提供する。【解決手段】土嚢Ｑ１・石Ｑ２等で集水池を形成した渓流の河川岸沈砂上に設置し、後部側の導水口２Ａに導水管４を連通接続して成る集水槽用桝体２と、集水槽用桝体２の前部側の取水口２Ｂに連通接続し、河川の水流に略対向するよう河川水面に沿って設置した多孔筒状，格子筒状もしくは網筒状の取水用筒体３とから簡易形取水装置１を形成する。取水用筒体３は、間隔をおいて、正方形状または亀孔形状，丸形状，長穴形状に開穿形成した複数の孔部５を設けたポリエチレン樹脂等のフレキシブル管や網状の合成樹脂板またはステンレス多孔板やステンレス網筒によって形成し、管状に巻き込み形成した筒面部３Ａと、筒面部３Ａの先端開口部側に閉蓋状に取り付けた頭蓋部３Ｂとから構成する。【選択図】　　　　　図１
2004060374.tif 000002
【特許請求の範囲】
【請求項１】
河川敷に形成された河川の水流に接続されている集水池に設置され、後部側の導水口に導水管を連通接続して成る集水槽用桝体と、
集水槽用桝体の前部側の取水口に連通接続され、河川水面に沿って設置された多孔筒状，格子筒状もしくは網筒状の一以上の取水用筒体とから構成した簡易形取水装置。
【請求項２】
前記取水用筒体は、複数の孔部を設けたポリエチレン樹脂等のフレキシブル管や網状の合成樹脂板またはステンレス多孔板やステンレス網筒によって形成されている請求項１記載の簡易形取水装置。
【請求項３】
前記取水用筒体は、管状に形成した筒面部と、筒面部の先端開口部側に閉蓋状に取り付けられた頭蓋部とから成る請求項１または２記載の簡易形取水装置。
【請求項４】
前記取水用筒体の孔部は、２〜１０ｍｍ好ましくは３ｍｍ程度の間隔をおいて縦横２〜２０ｍｍ好ましくは１０ｍｍ程度の正方形状または亀孔形状，丸形状，長穴形状に開穿されて成る請求項１乃至３のいずれか記載の簡易形取水装置。
【請求項５】
前記取水用筒体は、この直径を２００〜４００ｍｍ好ましくは４００ｍｍ程度とし、長さを１０００〜３５００ｍｍ好ましくは３５００ｍｍ程度に形成してある請求項１乃至４のいずれか記載の簡易形取水装置。
【発明の詳細な説明】
【０００１】
【発明の属する技術分野】
本発明は、例えば山岳地帯の谷川等の河川岸に設置され、塵芥を避けて水のみを取り入れることができ、特別の塵芥除去手段や、人手による塵芥除去作業を不要にした簡易形取水装置に関する。
【０００２】
【従来の技術】
従来から、この種の簡易形取水装置としては、土嚢や石等で集水池を形成した渓流の河川岸沈砂上に集水槽用桝体が設置され、集水槽用桝体の後部側の導水口に導水管を連通接続すると共に、集水槽用桝体の前部側における取水口前面には、棒材を平面格子状に組み付けて成る塵芥除去部材を張り巡らした構成となっていた。
【０００３】
【発明が解決しようとする課題】
しかしながらこのような従来における簡易形取水装置では、塵芥除去部材自体が棒材を平面格子状に組み付けてから取水口前面に張り巡らした状態で設置されているため、水流の勢いで河川の塵芥が塵芥除去部材によって塞き止められるものの捕獲されている塵芥の逃げ場がなくなってしまう。したがって、互いに隣接する棒材同士の隙間が塵芥によって集中的に塞がれて詰まった状態となって集水槽用桝体内部に水が入り込めない状態となってしまい、導水管側への取水効率が極端に低下してしまうものとなる等の問題点を有していた。
【０００４】
そこで本発明は叙上のような従来存した諸事情に鑑み創出されたもので、水流の勢いで河川の塵芥が塞き止められても集水槽用桝体内部への集水を何等障害なくスムーズに行なうことができ、導水管側への取水効率を従来よりも一層向上させることのできる簡易形取水装置を提供することを目的とする。
【０００５】
【課題を解決するための手段】
上述した課題を達成するため、本発明による簡易形取水装置は、
河川敷に形成された河川の水流に接続されている集水池に設置され、後部側の導水口に導水管を連通接続して成る集水槽用桝体と、
集水槽用桝体の前部側の取水口に連通接続され、河川水面に沿って設置された多孔筒状，格子筒状もしくは網筒状の一以上の取水用筒体とから構成されている。
すなわち、本発明にあっては、土嚢Ｑ１・石Ｑ２等で集水池を形成した渓流の河川岸沈砂上に設置され、後部側の導水口２Ａに導水管４を連通接続して成る集水槽用桝体２と、集水槽用桝体２の前部側の取水口２Ｂに連通接続され、河川の水流に略相対向するよう河川水面に沿って設置された多孔筒状，格子筒状もしくは網筒状の取水用筒体３とから成るものである。
取水用筒体３は、複数の孔部５を設けたポリエチレン樹脂等のフレキシブル管や網状の合成樹脂板またはステンレス多孔板やステンレス網筒によって形成されているものとすることができる。
取水用筒体３は、管状に形成した筒面部３Ａと、筒面部３Ａの先端開口部側に閉蓋状に取り付けられた頭蓋部３Ｂとから成るものとすることができる。
孔部５は、２〜１０ｍｍ好ましくは３ｍｍ程度の間隔をおいて縦横２〜２０ｍｍ好ましくは１０ｍｍ程度の正方形状または亀孔形状，丸形状，長穴形状に開穿されて成るものとすることができる。
取水用筒体３は、この直径を２００〜４００ｍｍ好ましくは４００ｍｍ程度とし、長さを１０００〜３５００ｍｍ好ましくは３５００ｍｍ程度に形成してあるものとすることができる。
【０００６】
以上のように構成された本発明に係る簡易形取水装置１において、多孔筒状，格子筒状もしくは網筒状の取水用筒体３は、河川の水流に略相対向するよう河川水面に沿って設置された状態では、塵芥の混入した水流が取水用筒体３に激しくぶつかる際に、塵芥は取水用筒体３によって塞き止められ、孔部５を通る水のみが取水用筒体３の中を勢い良く通過して取水口２Ｂから集水槽用桝体２内部へ導入され、導水口２Ａから導水管４を経て取水される。
このとき取水用筒体３自体が管状に形成した筒面部３Ａと、筒面部３Ａの先端開口部側に閉蓋状に取り付けられた頭蓋部３Ｂとから成る多孔筒状，格子筒状もしくは網筒状であるため、取水用筒体３の周囲３６０度全体の広面積によって取水が効率良く行なえると共に、塵芥が水流によって集中して貼り付くことがなく、常時安定した取水が行なえる。
また複数の孔部５を設けたポリエチレン樹脂等のフレキシブル管や網状の合成樹脂板またはステンレス多孔板やステンレス網筒によって形成されている取水用筒体３は、これが保有する防錆性・耐寒性・耐水性・耐油性等により長期間の使用に耐えられる。
【０００７】
【発明の実施の形態】
以下図面を参照して本発明の一実施の形態を説明すると、図において示される符号１は、河川の塵芥を避けて水のみを取り入れるための簡易形取水装置であり、この簡易形取水装置１自体は、後部側の複数の導水口２Ａに、不図示の貯水タンクに通じる導水管４をそれぞれ連通接続して成る例えば深さ約１０００ｍｍ程度のコンクリートボックス状の集水槽用桝体２と、集水槽用桝体２の前部側の複数の取水口２Ｂにそれぞれ連通接続され、河川の水流に略相対向するよう河川水面に沿って設置された多孔筒状，格子筒状もしくは網筒状の防錆性・耐水性・耐寒性・耐油性等を有する合成樹脂製の複数の取水用筒体３とから構成されている。
【０００８】
そしてこの簡易形取水装置１を例えば山岳地帯の谷川等の渓流河川岸における沈砂上の一部にコンクリートを打設して敷板面部Ｐとし、この敷板面部Ｐの一部に河川の水流を塞き止めるための土嚢Ｑ１・石Ｑ２等を積み上げて集水池を形成した場所に設置して長期間にわたり放置状態のままで使用されるものである。また、簡易形取水装置１が設置されている敷板面部Ｐの前方位置には、河川に流れる大木等の大型の浮遊物が水流によって取水用筒体３に激突して破壊されないようにするための横向に長尺な遮断用浮堤防７が水面上に若干突出した状態で配置されている。
【０００９】
取水用筒体３は、図３に示すように、合成樹脂製材として例えばポリエチレン樹脂板等に２〜１０ｍｍ好ましくは３ｍｍ程度の間隔ｄをおいて縦横の長さＤが２〜２０ｍｍ好ましくは１０ｍｍ程度の正方形状または亀孔形状，丸形状，長穴形状に開穿形成された複数の孔部５を設け、このポリエチレン樹脂板を巻いて管状にして例えば全長Ｌが１０００〜３５００ｍｍ好ましくは３５００ｍｍ程度の筒面部３Ａを形成すると共に、筒面部３Ａの先端開口部側には同様の孔部５を設けたポリエチレン樹脂板によって形成された例えば直径Ｒが２００〜４００ｍｍ好ましくは４００ｍｍ程度の頭蓋部３Ｂを接着剤等によって閉蓋状に取り付けてある。そしてこれら複数の取水用筒体３の両端側を、コンクリート製の敷板面部Ｐにベルト部材６を介して締結固定してある。
【００１０】
尚、この取水用筒体３の筒面部３Ａ、頭蓋部３Ｂそれぞれは互いに分離可能に取り付けられていても良く、あるいはプレス成型等により、孔部５を有する筒面部３Ａ、頭蓋部３Ｂそれぞれが一体となって形成されていても良い。また、孔部５の形状も正方形とする替わりに矩形状・円形状・楕円形状・多角形状・ハニカム形状等に形成しても良い。
【００１１】
次に以上のように構成された実施の形態についての使用、動作の一例を説明する。図１、図２に示すように、例えば山岳地帯の谷川等の渓流河川岸における沈砂上の一部にコンクリートを打設して敷板面部Ｐとし、この敷板面部Ｐの一部に河川の水流を塞き止めるための土嚢Ｑ１・石Ｑ２等を積み上げて集水池を形成し、この場所に簡易形取水装置１を設置する。このとき多孔筒状，格子筒状もしくは網筒状の取水用筒体３は、河川の水流に略相対向するよう河川水面に沿って設置される。
【００１２】
また塵芥の混入した河川の水流が土嚢Ｑ１・石Ｑ２等に塞き止められて手前の取水用筒体３に激しくぶつかる際に、塵芥は取水用筒体３に引っ掛かって塞き止められ、孔部５を通る水のみが取水用筒体３の中を勢い良く通過して取水口２Ｂから集水槽用桝体２内部へ導入され、導水口２Ａから導水管４を経て取水される。このとき取水用筒体３自体が管状に形成した筒面部３Ａと、筒面部３Ａの先端開口部側に閉蓋状に取り付けられた頭蓋部３Ｂとから成る多孔筒状，格子筒状もしくは網筒状であるため、取水用筒体３の周囲３６０度全体の広面積によって取水が行なわれると共に、塵芥が水流によって集中して貼り付くことなく常時安定した取水が行なわれる。
【００１３】
図４は、取水用筒体の他の実施例を示す一部切欠斜視図である。この実施例はステンレス多孔板を用いて取水用筒体を構成したものである。孔の形状は、長円（ｄｙ＞ｄｘ）状である。図５は、取水用筒体のさらに他の実施例を示す一部切欠斜視図である。この実施例は多孔フレッキシブル管を利用したものであり、開口（直径ｄ）は最大外径よりも小さい径の部分に設けられている。
【００１４】
【発明の効果】
本発明は以上のように構成されているために、水流の勢いで河川の塵芥が塞き止められても集水槽用桝体２内部への集水を何等障害なくスムーズに行なうことができ、導水管４側への取水効率を従来よりも一層向上させることができる。
【００１５】
すなわちこれは本発明が、土嚢Ｑ１・石Ｑ２等で集水池を形成した渓流の河川岸沈砂上に設置され、後部側の導水口２Ａに導水管４を連通接続して成る集水槽用桝体２と、集水槽用桝体２の前部側の取水口２Ｂに連通接続され、河川の水流に略相対向するよう河川水面に沿って設置された多孔筒状，格子筒状もしくは網筒状の取水用筒体３とから成るからであり、これにより、集水槽用桝体２内部への集水を何等障害なくスムーズに行なうことができ、導水管４側への取水効率も向上する。
【００１６】
取水用筒体３は、複数の孔部５を設けたポリエチレン樹脂等のフレキシブル管や網状の合成樹脂板またはステンレス多孔板やステンレス網筒によって形成されているので、これが保有する防錆性・耐水性・耐寒性・耐油性等により長期間の使用に耐えることができ、しかもメンテナンス管理も殆ど不要となる。
【００１７】
取水用筒体３は、管状に形成した筒面部３Ａと、筒面部３Ａの先端開口部側に閉蓋状に取り付けられた頭蓋部３Ｂとから成るので、取水用筒体３の周囲３６０度全体の広面積によって取水が効率良く行なえると共に、塵芥が水流によって集中して貼り付くことがなく、常時安定した取水が行なえる。
【００１８】
孔部５は、２〜１０ｍｍ好ましくは３ｍｍ程度の間隔をおいて縦横２〜２０ｍｍ好ましくは１０ｍｍ程度の正方形状または亀孔形状，丸形状，長穴形状に開穿されて成るので、木の葉・枝・昆虫等の遺骸等の河川の塵芥を避けて水のみを取水用筒体３内部へ効率良く取り入れることができる。
【００１９】
取水用筒体３は、この直径を２００〜４００ｍｍ好ましくは４００ｍｍ程度とし、長さを１０００〜３５００ｍｍ好ましくは３５００ｍｍ程度に形成してあるので、集水槽用桝体２内部への集水効率が向上する。
【図面の簡単な説明】
【図１】本発明の一実施の形態における使用状態の斜視図である。
【図２】同じく使用状態の平面図である。
【図３】同じく取水用筒体の一部切欠斜視図である。
【図４】取水用筒体の他の実施例を示す一部切欠斜視図である。
【図５】取水用筒体のさらに他の実施例を示す一部切欠斜視図である。
【符号の説明】
Ｐ…敷板面部
Ｑ１…土嚢
Ｑ２…石
１…簡易形取水装置
２…集水槽用桝体
２Ａ…導水口
２Ｂ…取水口
３…取水用筒体
３Ａ…筒面部
３Ｂ…頭蓋部
４…導水管
５…孔部
６…ベルト部材
７…遮断用浮堤防
【図１】
2004060374.tif 000003
【図２】
2004060374.tif 000004
【図３】
2004060374.tif 000005
【図４】
2004060374.tif 000006
【図５】
2004060374.tif 000007